(57)【特許請求の範囲】
【請求項１】
複数の番号を表示する番号表示部（１）と、前記番号表示部の前面に設けられ操作者が操作する透明スイッチ部（２）と、前記番号表示部および前記透明スイッチ部がそれぞれ接続され、前記番号表示部を起動させるために前記透明スイッチ部の何れかのキーを起点として操作したとき、操作された前記透明スイッチ部に対応する位置から番号を前記番号表示部上に順次整列配置し、前記起点を連続してｎ回（但し、ｎは２以上の正の整数）以上選択して操作したとき、操作された前記透明スイッチ部に対応する位置に隣接する位置から番号を前記番号表示部上に順次整列配置する制御装置（３）とを備えたことを特徴とする暗証番号装置。
【請求項２】
前記制御装置は、前記起点を連続してｎ回（但し、ｎは２以上の正の整数）以上選択して操作したとき、警告音を発生する機能を有することを特徴とする請求項１記載の暗証番号装置。
【発明の詳細な説明】
【発明の属する技術分野】
本発明は電気錠の解錠・施錠等に使用する暗証番号装置に関し、特に入力操作の痕跡を分散させる暗証番号装置に係わる。
【従来の技術】
従来の暗証番号装置においては、電気錠を組込んだ玄関の扉の解錠は、玄関子機から入力された呼出し信号に応答した室内親機側からの解錠操作によるか、玄関に外設された暗証番号装置から予め設定されている暗証番号を入力するか、場合によっては鍵を使用する。
暗証番号を入力して解錠する場合、入力された暗証番号が登録されている暗証番号と一致するかどうかの判定は、通常、親機側のＣＰＵでなされる。
従来から、この種の暗証番号装置は、図５に示すように、ＬＥＤまたは液晶で構成される番号表示部１０の前面に透明スイッチ部２０が設けられて、これら番号表示部１０、透明スイッチ部２０は、ＣＰＵ３０にそれぞれ接続されている。
解錠のため暗証番号を入力するには、先ず、透明スイッチ部２０のスタートスイッチ部（図中縦線）２０Sを押す。これでスタートスイッチ部２０Sに対応した番号表示部１０のＳで表示されるスタートスイッチが起動され、透明スイッチ部２０に対して、１対１対応で、番号表示部１０が、０から９迄の数字をランダムに表示する。解錠する人は、このランダムに表示された数字から、通常４桁の暗証番号を順次入力して最後にエンドスイッチ（図中横線）２０Eを押して暗証番号入力が終了する。
この暗証番号装置で、番号表示部１０が数字をランダムに表示するのは、常時同じ位置に同じ数字を表示し続けると、特定箇所の透明スイッチ部２０の汚れが目立ち、他人に暗証番号を解読されてしまう危険を回避するためである。
しかしながら解錠のたびに、ランダム表示された数字を見て、暗証番号に相当する数字を探さねばならず、いつも初めて使用するのと同じ状態で、数字の配置をランダム表示された数字から探さねばならず不便であった。ランダム表示された数字は当然毎回確認しなければならず、目の不自由な人には使用できない欠点もあった。後者の難点に対しては、特定キーを２回操作すると、整列表示に切換えられるものもあるが、整列表示に切換えれば前者と同じ難点が生じていた。
これら難点を解決するため、本願出願人は、図１に示すように、複数の番号を表示する番号表示部１と、番号表示部１の前面に設けられ操作者が操作する透明スイッチ部２と、番号表示部１および透明スイッチ部２がそれぞれ接続され、操作された透明スイッチ部２に対応する位置から番号表示部１に番号を順次整列配置すると共に、透明スイッチ部２から入力された番号のデータを送信する送信回路を備えた制御回路３とから構成される暗証番号装置を提案した（実開平５−７８８４８号）。
これにより、制御回路３は、操作された透明スイッチ部２に対応する位置から番号表示部１に番号を順次整列配置するとともに、透明スイッチ部２から入力された番号データを親機に送信して予め設定された暗証番号と比較するので、任意の起点から整列配置されたテンキーを用いて暗証番号を入力することができ、特定番号の汚れから暗証番号を解読される危険はなくなり、数字の配置が判りやすく操作性が向上した。
【発明が解決しようとする課題】
しかしながら、操作者は前回操作した起点を時間の経過とともに忘れてしまうため、癖で同じ位置を何度も選択してしまう。このため、特定の箇所が汚れて暗証番号を解読されてしまうという難点があった。
本発明は上記従来の難点を解決するためになされたもので、暗証番号を解読される危険を回避しつつ、操作性を向上させた暗証番号装置を提供することを目的とする。
【課題を解決するための手段】
上記の目的を達成するために、本発明の暗証番号装置は、複数の番号を表示する番号表示部と、番号表示部の前面に設けられ操作者が操作する透明スイッチ部と、番号表示部および透明スイッチ部がそれぞれ接続され、番号表示部を起動させるために透明スイッチ部の何れかのキーを起点として操作したとき、操作された透明スイッチ部に対応する位置から番号を番号表示部上に順次整列配置し、起点を連続してｎ回（但し、ｎは２以上の正の整数）以上選択して操作したとき、操作された透明スイッチ部に対応する位置に隣接する位置から番号を番号表示部上に順次整列配置する制御装置とを備えている。
また、制御装置は、起点を連続してｎ回（但し、ｎは２以上の正の整数）以上選択して操作したとき、警告音を発生する機能を有するものである。
この暗証番号装置において、番号表示部を起動させるために透明スイッチ部の何れかのキーを起点として操作したとき、操作された透明スイッチ部に対応する位置から番号を番号表示部上に順次整列配置し、同一起点を連続してｎ回以上選択して操作すると、操作された透明スイッチ部に対応する位置に隣接する位置から番号を番号表示部上に順次整列配置し、また起点を連続してｎ回以上選択して操作したとき、警告音を発生する機能を有するので、透明スイッチ部は均一に触れられ、汚れによる暗証番号判読の危険は回避される。
【発明の実施の形態】
以下、本発明の暗証番号装置について、その実施例を図面を参照して詳述する。
電気錠を組込んだ玄関の扉は、玄関側の玄関子機から入力された呼出し信号に応答した室内親機側からの解錠操作によるか、外設された暗証番号装置から予め設定されている暗証番号を入力するか、場合によっては鍵を使用して解錠される。入力された暗証番号が登録されている暗証番号と一致するかどうかは、ＣＰＵを経由して親機で判定される。
図１に示すように、本発明の暗証番号装置は、ＬＥＤまたは液晶で構成される番号表示部１の前面に、透明スイッチ部として透明スイッチマトリクス２が設けられ、透明スイッチマトリクス２の各キーと番号表示部１とが１対１に対応している。透明スイッチマトリクス２の前面には、透明スイッチマトリクス２の各キーの位置を仕切る格子枠２１が取付けられ、番号表示部１および透明スイッチマトリクス２は、制御装置としてのＣＰＵ３にそれぞれ接続されている。
図４に示すように、ＣＰＵ３には、番号表示部１、透明スイッチマトリクス２、圧電ブザー４、データ入力回路５、データ出力回路６、リセット信号発生回路７、クロック信号発生回路８、連続起点選択防止機能設定スイッチ９がそれぞれ接続されている。図３に示すように、解錠のため暗証番号を入力するには、先ず、透明スイッチマトリクス２の任意のキー（丸印）を押す。押されたこのキーに対応した番号表示部１に数字１が表示され、この数字１を起点として左上から右下に２、３…、９、０まで順次数字が配列表示される。ａ列は、番号表示部１の上から２段目、左端が起点１となり、ｂ列は、上から４段目、左から２個目が起点１となり、これら最初に押した任意のキーから順次配列表示されたテンキーに従い、定められた暗証番号を入力する。
数字を押す度に、透明スイッチマトリクス２の下に設けられた長方形枠内に点灯するランプ２Ｌが増加すると共に、圧電ブザー４（図４）により確認音が発せられる。最後に解錠スイッチ１ｂに対応する透明スイッチマトリクス２のキーを押す。正しく暗証番号が入力されると電気錠（図示せず）は解錠され、クロック信号発生回路８が働き、設定された時間だけ解錠スイッチ１ｂ部分が点滅すると共に、透明スイッチマトリクス２の下に点灯したランプ２Ｌが順次消灯していく。施錠時には施錠スイッチ１ａに対応する透明スイッチマトリクス２のキー部分が点滅する。
本発明による暗証番号装置のＣＰＵ３は、通常、透明スイッチマトリクス２を走査しており、図２に示すように、透明スイッチマトリクス２の任意のキーが押されると（図２のＦ1）、内蔵するソフトにコントロールされて、連続起点選択防止機能設定スイッチ９（図４）が設定されているか確認する（図２Ｆ11）。設定されていなければ、上述のように最初に押したキーをスタートとして１から０まで、数字を順次配列するように番号表示部１に信号を送り（図２のＦ2）、表示に対応する透明スイッチマトリクス２の番号データを記憶する（図２のＦ3）。
番号表示部１には最初に押した任意のキーをスタートにして１から０まで、数字が順次配列され、この数字を用いて暗証番号が入力される（図２のＦ4）。ＣＰＵ３は操作された透明スイッチマトリクス２の番号データを確認し（図２のＦ5）、確認音発生信号を送出し（図２Ｆ6）、圧電ブザー４を鳴動させる（図２のＦ7）。ついで、押された数字のデータをデータ出力回路６を経由して室内親機に送出する（図２のＦ8）。通常は４桁の暗証番号送信後、室内親機がデータを確認（図２のＦ9）し、データ入力回路５を経由して室内親機から結果の良否が送られ（図２Ｆの10）、暗証番号が正しく入力されたと確認されると玄関の扉の電気錠は解錠される。
誤入力の場合、リセット信号発生回路７を起動させて再度入力し直す。連続起点選択防止機能設定スイッチ９が設定されていれば、前回の起点と同じか記憶しているデータと比較する（図２Ｆ12）。一致していなければ、ＣＰＵ３内部の連続起点選択カウンタをクリアして（図２Ｆ13）、上述のように最初に押したキーをスタートとして１から０まで、数字を順次配列するように番号表示部１に信号を送り（図２のＦ2）、以下解錠まで上述と同様に動作する。
一致していれば、連続起点選択カウンタをインクリメントして（図２Ｆ14）、連続起点選択カウンタ値ｘが設定値ｎ以上か（ｎは２以上の正の整数）を判定し（図２Ｆ15）、ｎ＞ｘならば、上述のように最初に押したキーをスタートとして１から０まで、数字を順次配列するように番号表示部１に信号を送り（図２のＦ2）、以下解錠まで上述と同様に動作する。
ｎ≦ｘならば、警告音発生信号を送出（図２Ｆ16）し、圧電ブザーを鳴動させ（図２Ｆ17）、同じ起点をｎ回以上選択していることを警告するとともに、最初に押したキーの一つ右をスタートにして１から０まで、数字を順次配列するように番号表示部１に信号を送り（図２Ｆ18）、表示に対応する透明スイッチマトリクス２の番号データを記憶し（図２のＦ3）、以下解錠まで上述と同様に動作する。
なお、設定値ｎは２以上の正の整数であるが、実質的には３〜５が好適であるが、限定はされない。任意のスタート位置、即ち、操作された透明スイッチ部２に対応する位置から数字が順次整列配置されるので、ランダムに配列されたものより番号入力操作はスムーズに行なわれる。しかも透明スイッチマトリクス２の特定位置が集中的に押されることもなくなるので、汚れにより他人に暗証番号を解読されてしまう危険は回避される。更に、透明スイッチマトリクス２の表面を格子枠２１で仕切るので、最初に押した位置を確認しておけば、目の不自由な人にも番号の配列がわかるので使用に好適である。
実施例は、電気錠を組込んだ玄関子機で説明したが、その他の暗証番号装置にも好適である。
【発明の効果】
以上の実施例からも明らかなように、本発明の暗証番号装置では、番号表示部を起動させるために透明スイッチ部の何れかのキーを起点として操作したとき、操作された透明スイッチ部に対応する位置から番号を番号表示部上に順次整列配置し、同一起点を連続してｎ回以上選択して操作すると、操作された透明スイッチ部に対応する位置に隣接する位置から番号を番号表示部上に順次整列配置し、また起点を連続してｎ回以上選択して操作したとき、警告音を発生する機能を有するので、透明スイッチ部は均一に触れられ、特定番号の汚れから暗証番号を解読される危険はなくなり、数字の配置が判りやすく操作性が向上する。
【図面の簡単な説明】
【図１】本発明による暗証番号装置の一実施例を説明する図である。
【図２】本発明による暗証番号装置の制御回路のフローチャートである。
【図３】本発明による暗証番号装置の動作説明図である。
【図４】暗証番号装置のブロック図である。
【図５】従来の暗証番号装置を説明する図である。
【符号の説明】
１…番号表示部
２…透明スイッチ部
２１…格子枠
３…制御装置（制御回路）
４…圧電ブザー
５…データ入力回路
６…データ出力回路
７…リセット信号発生回路
８…クロック信号発生回路
９…連続起点選択防止機能設定スイッチ
【図１】
0003558467.tif 000002
【図２】
0003558467.tif 000003
【図３】
0003558467.tif 000004
【図４】
0003558467.tif 000005
【図５】
0003558467.tif 000006